【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
番組を受信して記録する記録装置と、前記記録装置と通信する通信装置とからなる情報処理システムにおいて、
前記記録装置は、
番組と、EPG(Electronic Program Guide)データとを受信する受信手段と、
前記EPGデータと、番組の記録の予約状況に関する予約状況情報とを記憶する記憶手段と、
前記予約状況情報にしたがって番組を記録する予約記録処理を行う予約記録処理手段と、
前記通信装置と通信し、前記通信装置からの要求に応じて、前記EPGデータまたは予約状況情報を送信する第１の通信手段と
を備え、
前記通信装置は、
前記記録装置と通信し、ユーザの操作に応じて、前記EPGデータまたは予約状況情報の要求を送信するとともに、その要求に応じて、前記記録装置から送信されてくる前記EPGデータまたは予約状況情報を受信する第２の通信手段と、
前記第２の通信手段が受信した前記EPGデータまたは予約状況情報を提示する提示手段と
を備える
ことを特徴とする情報処理システム。
【請求項２】
前記通信装置における前記第２の通信手段は、ユーザの操作に応じて、番組の記録の予約を要求する予約要求を、さらに送信し、
前記記録装置は、
前記第１の通信手段が、前記予約要求の受信も行い、
前記予約要求に応じて、番組の記録を予約する記録予約処理を行う記録予約処理手段をさらに備える
ことを特徴とする請求項１に記載の情報処理システム。
【請求項３】
前記記録装置は、
前記第１の通信手段により受信した前記予約要求された番組が既に録画予約された番組と重複するか否かを判定する判定手段をさらに備える
ことを特徴とする請求項２に記載の情報処理システム。
【請求項４】
前記判定手段により前記予約要求された番組が既に録画予約された番組と重複すると判定された場合、前記第１の通信手段は前記通信装置に重複情報を送信する
ことを特徴とする請求項３に記載の情報処理システム。
【請求項５】
前記通信装置における前記第２の通信手段は前記重複情報をさらに受信し、
前記提示手段は前記第２の通信手段が受信した前記重複情報を提示する
ことを特徴とする請求項４に記載の情報処理システム。
【請求項６】
前記通信装置における前記第２の通信手段は、ユーザの操作に応じて、前記予約状況情報の編集を要求する編集要求を、さらに送信し、
前記記録装置は、
前記第１の通信手段が、前記編集要求の受信も行い、
前記編集要求に応じて、前記予約状況情報を編集する編集手段をさらに備える
ことを特徴とする請求項１に記載の情報処理システム。
【請求項７】
番組を受信して記録する記録装置において、
番組と、EPG(Electronic Program Guide)データとを受信する受信手段と、
前記EPGデータと、番組の記録の予約状況に関する予約状況情報とを記憶する記憶手段と、
前記予約状況情報にしたがって番組を記録する予約記録処理を行う予約記録処理手段と、
外部の通信装置と通信し、前記通信装置からの要求に応じて、前記EPGデータまたは予約状況情報を送信する通信手段と
を備えることを特徴とする記録装置。
【請求項８】
前記通信装置が、ユーザの操作に応じて、番組の記録の予約を要求する予約要求を送信する場合において、
前記通信手段は、前記予約要求の受信も行い、
前記予約要求に応じて、番組の記録を予約する記録予約処理を行う記録予約処理手段をさらに備える
ことを特徴とする請求項７に記載の記録装置。
【請求項９】
前記通信手段により受信した前記予約要求された番組が既に録画予約された番組と重複するか否かを判定する判定手段をさらに備える
ことを特徴とする請求項８に記載の記録装置。
【請求項１０】
前記判定手段により前記予約要求された番組が既に録画予約された番組と重複すると判定された場合、前記通信手段は前記外部の通信装置に重複情報を送信する
ことを特徴とする請求項９に記載の記録装置。
【請求項１１】
前記通信装置が、ユーザの操作に応じて、前記予約状況情報の編集を要求する編集要求を送信する場合において、
前記通信手段は、前記編集要求の受信も行い、
前記編集要求に応じて、前記予約状況情報を編集する編集手段をさらに備える
ことを特徴とする請求項７に記載の記録装置。
【請求項１２】
番組を受信して記録する記録装置の情報処理方法において、
番組と、EPG(Electronic Program Guide)データとを受信する受信ステップと、
前記EPGデータと、番組の記録の予約状況に関する予約状況情報とを記憶する記憶ステップと、
前記予約状況情報にしたがって番組を記録する予約記録処理を行う予約記録処理ステップと、
外部の通信装置と通信し、前記通信装置からの要求に応じて、前記EPGデータまたは予約状況情報を送信する通信ステップと
を含むことを特徴とする情報処理方法。
【請求項１３】
番組を受信して記録する記録装置を制御するコンピュータに実行させるプログラムにおいて、
番組と、EPG(Electronic Program Guide)データとの受信を制御する受信ステップと、
前記EPGデータと、番組の記録の予約状況に関する予約状況情報との記憶を制御するする記憶ステップと、
前記予約状況情報にしたがって番組を記録する予約記録処理を制御する予約記録処理ステップと、
外部の通信装置との通信を制御し、前記通信装置からの要求に応じて、前記EPGデータと予約状況情報を送信させる通信ステップと
を含むことを特徴とするプログラム。
【請求項１４】
番組を受信して記録する記録装置と通信する通信装置において、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置と通信し、ユーザの操作に応じて、前記EPGデータまたは予約状況情報の要求を送信するとともに、その要求に応じて、前記記録装置から送信されてくる前記EPGデータまたは予約状況情報を受信する通信手段と、
前記通信手段が受信した前記EPGデータまたは予約状況情報を提示する提示手段と
を備えることを特徴とする通信装置。
【請求項１５】
前記通信手段は、ユーザの操作に応じて、番組の記録の予約を要求する予約要求を、さらに送信し、
前記記録装置は、さらに、前記予約要求に応じて、番組の記録を予約する記録予約処理を行う
ことを特徴とする請求項１４に記載の通信装置。
【請求項１６】
前記通信手段は、前記記録装置において前記予約要求された番組が既に録画予約された番組と重複すると判定された場合に送信されてくる重複情報をさらに受信し、
前記提示手段は前記通信手段が受信した前記重複情報を提示する
ことを特徴とする請求項１５に記載の通信装置。
【請求項１７】
前記通信手段は、ユーザの操作に応じて、前記予約状況情報の編集を要求する編集要求を、さらに送信し、
前記記録装置は、さらに、前記編集要求に応じて、前記予約状況情報を編集する
ことを特徴とする請求項１４に記載の通信装置。
【請求項１８】
番組を受信して記録する記録装置と通信する通信装置の情報処理方法において、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置と通信し、ユーザの操作に応じて、前記EPGデータまたは予約状況情報の要求を送信するとともに、その要求に応じて、前記記録装置から送信されてくる前記EPGデータまたは予約状況情報を受信する通信ステップと、
前記通信ステップで受信した前記EPGデータまたは予約状況情報を提示する提示ステップと
を含むことを特徴とする情報処理方法。
【請求項１９】
番組を受信して記録する記録装置と通信する通信装置を制御するコンピュータに実行させるプログラムにおいて、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置との通信を制御し、ユーザの操作に応じて、前記EPGデータまたは予約状況情報の要求を送信させるとともに、その要求に応じて、前記記録装置から送信されてくる前記EPGデータまたは予約状況情報を受信させる通信ステップと、
前記通信ステップで受信した前記EPGデータまたは予約状況情報を提示させる提示ステップと
を含むことを特徴とするプログラム。
【手続補正２】
【補正対象書類名】明細書
【補正対象項目名】００３２
【補正方法】変更
【補正の内容】
【００３２】
請求項２に記載の情報処理システムは、
前記通信装置における前記第２の通信手段は、ユーザの操作に応じて、番組の記録の予約を要求する予約要求を、さらに送信し、
前記記録装置は、
前記第１の通信手段が、前記予約要求の受信も行い、
前記予約要求に応じて、番組の記録を予約する記録予約処理を行う記録予約処理手段（例えば、図１０のステップＳ３７の処理を行う図５のCPU１０８）をさらに備える
ことを特徴とする。
請求項３に記載の情報処理システムは、
前記記録装置は、
前記第１の通信手段により受信した前記予約要求された番組が既に録画予約された番組と重複するか否かを判定する判定手段（例えば、図８のステップＳ１１の処理を行う図５のCPU１０８）をさらに備える
ことを特徴とする。
【手続補正３】
【補正対象書類名】明細書
【補正対象項目名】００３３
【補正方法】変更
【補正の内容】
【００３３】
請求項６に記載の情報処理システムは、
前記通信装置における前記第２の通信手段は、ユーザの操作に応じて、前記予約状況情報の編集を要求する編集要求を、さらに送信し、
前記記録装置は、
前記第１の通信手段が、前記編集要求の受信も行い、
前記編集要求に応じて、前記予約状況情報を編集する編集手段（例えば、図１０のステップＳ４０の処理を行う図５のCPU１０８）をさらに備える
ことを特徴とする。
【手続補正４】
【補正対象書類名】明細書
【補正対象項目名】００３４
【補正方法】変更
【補正の内容】
【００３４】
請求項７に記載の記録装置は、
番組を受信して記録する記録装置において、
番組と、EPG(Electronic Program Guide)データとを受信する受信手段（例えば、図５のチューナ部１０１）と、
前記EPGデータと、番組の記録の予約状況に関する予約状況情報とを記憶する記憶手段（例えば、図５のHD１１７）と、
前記予約状況情報にしたがって番組を記録する予約記録処理を行う予約記録処理手段（例えば、図９のステップＳ２１乃至Ｓ２３の予約録画処理を行う図５のCPU１０８）と、
外部の通信装置と通信し、前記通信装置からの要求に応じて、前記EPGデータまたは予約状況情報を送信する通信手段（例えば、図５の通信I/F１０７）と
を備えることを特徴とする。
【手続補正５】
【補正対象書類名】明細書
【補正対象項目名】００３５
【補正方法】変更
【補正の内容】
【００３５】
請求項８に記載の記録装置は、
前記通信装置が、ユーザの操作に応じて、番組の記録の予約を要求する予約要求を送信する場合において、
前記通信手段は、前記予約要求の受信も行い、
前記予約要求に応じて、番組の記録を予約する記録予約処理を行う記録予約処理手段（例えば、図１０のステップＳ３７の処理を行う図５のCPU１０８）をさらに備える
ことを特徴とする。
請求項９に記載の記録装置は、
前記通信手段により受信した前記予約要求された番組が既に録画予約された番組と重複するか否かを判定する判定手段（例えば、図８のステップＳ１１の処理を行う図５のCPU１０８）をさらに備える
ことを特徴とする。
【手続補正６】
【補正対象書類名】明細書
【補正対象項目名】００３６
【補正方法】変更
【補正の内容】
【００３６】
請求項１１に記載の記録装置は、
前記通信装置が、ユーザの操作に応じて、前記予約状況情報の編集を要求する編集要求を送信する場合において、
前記通信手段は、前記編集要求の受信も行い、
前記編集要求に応じて、前記予約状況情報を編集する編集手段（例えば、図１０のステップＳ４０の処理を行う図５のCPU１０８）をさらに備える
ことを特徴とする。
【手続補正７】
【補正対象書類名】明細書
【補正対象項目名】００３７
【補正方法】変更
【補正の内容】
【００３７】
請求項１２に記載の情報処理方法は、
番組を受信して記録する記録装置の情報処理方法において、
番組と、EPG(Electronic Program Guide)データとを受信する受信ステップ（例えば、図７のステップＳ１）と、
前記EPGデータと、番組の記録の予約状況に関する予約状況情報とを記憶する記憶ステップ（例えば、図７のステップＳ３と、図８のステップＳ１３）と、
前記予約状況情報にしたがって番組を記録する予約記録処理を行う予約記録処理ステップ（例えば、図９の予約録画処理におけるステップＳ２１乃至Ｓ２３）と、
外部の通信装置と通信し、前記通信装置からの要求に応じて、前記EPGデータまたは予約状況情報を送信する通信ステップ（例えば、図１０のステップＳ３３）と
を含むことを特徴とする。
【手続補正８】
【補正対象書類名】明細書
【補正対象項目名】００３８
【補正方法】変更
【補正の内容】
【００３８】
請求項１３に記載のプログラムは、
番組を受信して記録する記録装置を制御するコンピュータに実行させるプログラムにおいて、
番組と、EPG(Electronic Program Guide)データとの受信を制御する受信ステップ（例えば、図７のステップＳ１）と、
前記EPGデータと、番組の記録の予約状況に関する予約状況情報との記憶を制御するする記憶ステップ（例えば、図７のステップＳ３と、図８のステップＳ１３）と、
前記予約状況情報にしたがって番組を記録する予約記録処理を制御する予約記録処理ステップ（例えば、図９の予約録画処理におけるステップＳ２１乃至Ｓ２３）と、
外部の通信装置との通信を制御し、前記通信装置からの要求に応じて、前記EPGデータまたは予約状況情報を送信させる通信ステップ（例えば、図１０のステップＳ３３）と
を含むことを特徴とする。
【手続補正９】
【補正対象書類名】明細書
【補正対象項目名】００３９
【補正方法】変更
【補正の内容】
【００３９】
請求項１４に記載の通信装置は、
番組を受信して記録する記録装置と通信する通信装置において、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置と通信し、ユーザの操作に応じて、前記EPGデータまたは予約状況情報の要求を送信するとともに、その要求に応じて、前記記録装置から送信されてくる前記EPGデータまたは予約状況情報を受信する通信手段（例えば、図６の変復調回路部２５８および送受信回路部２６２）と、
前記通信手段が受信した前記EPGデータまたは予約状況情報を提示する提示手段（例えば、図６のディスプレイ３２）と
を備えることを特徴とする。
【手続補正１０】
【補正対象書類名】明細書
【補正対象項目名】００４０
【補正方法】変更
【補正の内容】
【００４０】
請求項１８に記載の情報処理方法は、
番組を受信して記録する記録装置と通信する通信装置の情報処理方法において、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置と通信し、ユーザの操作に応じて、前記EPGデータまたは予約状況情報の要求を送信するとともに、その要求に応じて、前記記録装置から送信されてくる前記EPGデータまたは予約状況情報を受信する通信ステップ（例えば、図１１のステップＳ６４とＳ６５）と、
前記通信ステップで受信した前記EPGデータまたは予約状況情報を提示する提示ステップ（例えば、図１１のステップＳ６６）と
を含むことを特徴とする。
【手続補正１１】
【補正対象書類名】明細書
【補正対象項目名】００４１
【補正方法】変更
【補正の内容】
【００４１】
請求項１９にプログラムは、
番組を受信して記録する記録装置と通信する通信装置を制御するコンピュータに実行させるプログラムにおいて、
前記記録装置が、
番組と、EPG(Electronic Program Guide)データとを受信し、
前記EPGデータと、番組の記録の予約状況に関する予約状況情報とを記憶し、
前記予約状況情報にしたがって番組を記録する予約記録処理を行い、
前記通信装置と通信し、前記通信装置からの要求に応じて、前記EPGデータまたは予約状況情報を送信する場合において、
前記記録装置との通信を制御し、ユーザの操作に応じて、前記EPGデータまたは予約状況情報の要求を送信させるとともに、その要求に応じて、前記記録装置から送信されてくる前記EPGデータまたは予約状況情報を受信させる通信ステップ（例えば、図１１のステップＳ６４とＳ６５）と、
前記通信ステップで受信した前記EPGデータまたは予約状況情報を提示させる提示ステップ（例えば、図１１のステップＳ６６）と
を含むことを特徴とする。
【手続補正１２】
【補正対象書類名】明細書
【補正対象項目名】０１７４
【補正方法】変更
【補正の内容】
【０１７４】
ステップＳ３２において、携帯電話機３１から何らかの情報の要求があったと判定された場合、即ち、ユーザＡが、何らかの情報を要求するように、携帯電話機３１を操作し（例えば、EPGや、予約リスト、録画済リストへのハイパーリンクをクリックし）、携帯電
話機３１から、その情報の要求が送信され、通信I/F１０７で受信された場合、ステップＳ３３に進み、CPU１０８は、その要求があった情報を、通信I/F１０７に送信させ、ステップＳ３２に戻る。
【手続補正１３】
【補正対象書類名】明細書
【補正対象項目名】０２４２
【補正方法】変更
【補正の内容】
【０２４２】
その後、マッチングサーバ３０１のXMPPサーバ３０３は、ステップＳ１２３でログインを許可した携帯電話機３１からのIDとパスワードに対応付けて記憶しているIPアドレス宛、即ち、ルータ１４宛に、携帯電話機３１との通信に利用するポートの確認を要求するポート確認メッセージを送信する。
【手続補正１４】
【補正対象書類名】明細書
【補正対象項目名】０２４４
【補正方法】変更
【補正の内容】
【０２４４】
DVR１２は、ポート確認メッセージを受信すると、ステップＳ１０４において、ルータ１４との間で、必要な情報をやりとりし、UPnP(Universal Plug and Play)により、携帯電話機３１との通信に利用するポートを動的にあけ、ステップＳ１０５に進む。ステップＳ１０５では、DVR１２は、ステップＳ１０４であけたポートを特定するポート番号や、IPアドレスなどの、DVR１２（のメニュー画面）にアクセスするためのソケットを表すソケット情報を、マッチングサーバ３０１のXMPPサーバ３０３に送信することにより通知する。